(57)【要約】【課題】遅れて避難してきた人を収容することができ、かつ、容易に設置することができる津波用のシェルタを提供する。【解決手段】津波発生時に避難するためのシェルタＡ１を、水密状の中空構造体である本体１と、本体１を地面から離した状態で地面に固定する固定部材２と、本体１を地面に固定した状態で、本体１の下方に配置されている出入口１１とを備えるように構成した。出入口１１が本体１の下方に配置されているので、遅れて避難してきた人を収容するために出入口１１を開放した場合でも、本体１内部に水が浸入してこない。また、本体１を固定部材２で地面に固定するだけなので、容易に設置することができる。【選択図】図２
2014214569.tif 000002
【特許請求の範囲】
【請求項１】
水密状の中空構造体である本体と、
前記本体を、地面から離した状態で地面に固定する固定部材と、
前記本体を地面に固定した状態で、前記本体の下方に配置されている出入口と、
を備えていることを特徴とするシェルタ。
【請求項２】
前記本体は、外観が略円柱形状であり、金属製である、
請求項１に記載のシェルタ。
【請求項３】
酸素ボンベをさらに備えている、
請求項１または２に記載のシェルタ。
【請求項４】
前記本体が水没した状態になった場合、前記本体の内部の気圧が高められる、
請求項１ないし３のいずれかに記載のシェルタ。
【請求項５】
トラックに積載して運送可能である、
請求項１ないし４のいずれかに記載のシェルタ。
【請求項６】
便器と、
前記便器からの汚水を外部に排出する排水管と、
前記排水管の途中に設けられる加圧タンクおよび逆流防止弁と、
をさらに備えている、
請求項１ないし５のいずれかに記載のシェルタ。
【請求項７】
通信装置と、
前記通信装置が電波の送受信を行うためのアンテナと、
前記アンテナを水上に浮上させるための浮きと、
をさらに備えている、
請求項１ないし６のいずれかに記載のシェルタ。
【発明の詳細な説明】
【技術分野】
【０００１】
本発明は、津波発生時に避難するためのシェルタに関する。
【背景技術】
【０００２】
津波が発生した場合、高いところに逃げるのが鉄則であるが、避難する時間がない場合や、自力で避難できない者もいる。東日本大震災による津波被害をきっかけに、容易に避難できる避難施設の開発が進んでいる。
【０００３】
津波用避難施設としては、大きく分けて、地中に埋設されて水密性の空間を有する地下シェルタ（特許文献１参照）、水密状の中空構造体で水上に浮遊する浮遊型シェルタ（特許文献２参照）、人工的に高い場所を建造した避難タワー（特許文献３参照）、などがある。
【先行技術文献】
【特許文献】
【０００４】
【特許文献１】特開２０１３-１４８９８号公報
【特許文献２】特開２００４-３２２９３９号公報
【特許文献３】特開２００５-３２５６８２号公報
【発明の概要】
【発明が解決しようとする課題】
【０００５】
しかしながら、地下シェルタの場合、水の浸入を防ぐためには地上にある入り口を閉める必要があり、遅れて避難してきた人を入れるために入り口を開けると、水が浸入してしまうという問題がある。また、浮遊型シェルタの場合も、遅れて避難してきた人を入れるために入り口を開けると、水が浸入してしまう可能性があり、浮遊状態で入り口を開けると、転覆してしまう可能性もある。すでに避難している人の安全性を考えると、遅れてきた人のために入り口を開けることは躊躇される。避難タワーの場合、遅れて避難してきた人を収容することができるが、想定水位以上の高さ（例えば、１０メートル）にする必要があり、規模が大きくなるので、容易に設置することができない。
【０００６】
本発明は上記した事情のもとで考え出されたものであって、遅れて避難してきた人を収容することができ、かつ、容易に設置することができる津波用のシェルタを提供することをその目的としている。
【課題を解決するための手段】
【０００７】
上記課題を解決するため、本発明では、次の技術的手段を講じている。
【０００８】
本発明の第１の側面によって提供されるシェルタは、水密状の中空構造体である本体と、前記本体を、地面から離した状態で地面に固定する固定部材と、前記本体を地面に固定した状態で、前記本体の下方に配置されている出入口とを備えていることを特徴とする。
【０００９】
本発明の好ましい実施の形態においては、前記本体は、外観が略円柱形状であり、金属製である。
【００１０】
本発明の好ましい実施の形態においては、前記シェルタは、酸素ボンベをさらに備えている。
【００１１】
本発明の好ましい実施の形態においては、前記本体が水没した状態になった場合、前記本体の内部の気圧が高められる。
【００１２】
本発明の好ましい実施の形態においては、前記シェルタは、トラックに積載して運送可能である。
【００１３】
本発明の好ましい実施の形態においては、前記シェルタは、便器と、前記便器からの汚水を外部に排出する排水管と、前記排水管の途中に設けられる加圧タンクおよび逆流防止弁とをさらに備えている。
【００１４】
本発明の好ましい実施の形態においては、前記シェルタは、通信装置と、前記通信装置が電波の送受信を行うためのアンテナと、前記アンテナを水上に浮上させるための浮きとをさらに備えている。
【発明の効果】
【００１５】
本発明によると、出入口が本体の下方に配置されているので、遅れて避難してきた人を収容するために出入口を開放した場合でも、内部に水が浸入しにくい。また、本体を固定部材で地面に固定するだけなので、容易に設置することができる。
【００１６】
本発明のその他の特徴および利点は、添付図面を参照して以下に行う詳細な説明によって、より明らかとなろう。
【図面の簡単な説明】
【００１７】
【図１】第１実施形態に係るシェルタの外観図である。
【図２】図１のＩＩ−ＩＩ線視断面図である。
【図３】第１実施形態に係るシェルタの設置方法の一例を説明するための図である。
【図４】第１実施形態に係るシェルタの使用状態を説明するための図である。
【図５】第２実施形態に係るシェルタの断面図である。
【図６】他の実施形態に係るシェルタの外観図である。
【図７】他の実施形態に係るシェルタの外観図である。
【図８】第３実施形態に係るシェルタを説明するための図である。
【発明を実施するための形態】
【００１８】
以下、本発明の実施の形態を、図面を参照して具体的に説明する。
【００１９】
図１および図２は、第１実施形態に係るシェルタを説明するための図である。図１は外観図であり、図２は図１のＩＩ−ＩＩ線視断面図である。
【００２０】
シェルタＡ１は、津波などの災害時に、避難者を収容するためのものであり、自宅の庭や、集落の空き地、広場、公園などに設置される。以下では、シェルタＡ１を地面に設置した状態を基準として、上下方向を説明する。すなわち、図１および図２において、紙面の下方向をシェルタＡ１の下方向とし、紙面の上方向をシェルタＡ１の上方向として説明する。シェルタＡ１は、本体１、固定部材２、扉３、はしご４、酸素ボンベ５、椅子６１、テーブル６２、蓄電池７１、通信装置７２、フロート式アンテナ７３、便器８１、および加圧タンク８２を備えている。なお、図２においては、本体１の内部を簡略化して記載している。実際には、シェルタＡ１には、食料、飲料水、防寒具など、および、これらを収納するための棚などの収納スペースが設けられている。
【００２１】
本体１は、シェルタＡ１の本体であり、避難者を収容するための居住スペースが形成されている。本体１は、略円柱形状の中空構造体であり、円柱の側面の一部が平坦になっている。本体１は、当該平坦面が底面になるようにして、円柱を横にした状態で設置される（図１参照）。本体１の底面は、内部においても平坦になっており、当該平坦部分を床面として、中空部分が居住スペースになっている。本体１は、溶接により組み立てられたステンレス製であり、出入口１１以外が水密状の密閉構造になっている。本体１の外壁は、所定の水圧に耐えられるような厚さを有している。なお、本体１の形状および材質は限定されない。例えば、アルミニウムや銅、鉄などの他の金属製でもよいし、強化プラスチックやセラミック製であってもよい。ただし、所定の水圧に耐えられるものとする必要がある。
【００２２】
本体１の下面には、出入口１１が設けられている。出入口１１の形状は限定されず、円形状でもよいし、矩形状でもよい。出入口１１の周囲の本体１の内面側および外面側には、水の浸入を阻止するために張り出した張出部１２が設けられている。扉３は、出入口１１を開放したり閉塞したりするためのものであり、蝶番構造により内開きに開閉できるように、張出部１２に取り付けられている。図２においては、扉３が開いた状態を示しており、扉３は実線矢印方向に開閉する。扉３は、本体１と同様、ステンレス製であり、本体１と同じ強度を備えている。なお、扉３の材質は限定されず、本体１と異なっていてもよい。所定の水圧に耐えられる強度を有していればよい。
【００２３】
固定部材２は、本体１を地面に固定するものである。固定部材２は、柱部２１と埋設部２２とを備えている。柱部２１は、一方端部が本体１の側面に固定されている。柱部２１の他方端部には埋設部２２が設けられている。埋設部２２が地面に埋設されることで、本体１が地面から離れた状態で地面に固定されている。後述するように、埋設部２２は、地面に掘られた穴に柱部２１の他方端部が挿入され、当該穴にコンクリートを流し込んで固めることで形成される。なお、柱部２１の他方端部に、あらかじめ埋設部２２を形成しておき、埋設部２２を地面に掘られた穴に埋設するようにしてもよい。図１では、固定部材２が４つある場合を示しているが、固定部材２の数は限定されない。また、柱部２１の一方端部が本体１の側面に固定される場合に限定されず、本体１の底面に固定されていてもよい。固定部材２は、本体１を地面から離れた状態で地面に固定し、かつ、水没時に本体１が浮力によって浮き上がってしまうことを防止できるものであればよい。本体１の底面と地面との距離は、出入口１１から避難者が出入りできる程度に離れていればよい。
【００２４】
はしご４は、避難者が出入り口１１から本体１の居住スペースに出入りするために使用するものである。はしご４は、出入口１１の扉３の取り付け位置とは反対側の、本体１の外側の底面に固定されている。なお、はしご４の取り付け位置は、これに限られず、居住スペースへの出入りに使用できればよい。
【００２５】
酸素ボンベ５は、本体１の居住スペースに酸素を含む空気を供給するものである。これにより、居住スペース内で、避難者が酸欠状態になることを回避できる。また、酸素ボンベ５は、外部の水圧に釣り合わせるように、居住スペース内の気圧を高めるためにも用いられる。なお、図２においては、本体１の居住スペースに椅子６１およびテーブル６２を備えている場合を記載しているが、居住スペースに配置されるものは限定されない。例えば、避難者が寝るためのベッドや布団が配置されていてもよい。また、図２には記載されていないが、椅子６１の腰掛部分の内部や、図示しない棚などに、飲料水、食糧、および、毛布などの防寒具が収納されている。
【００２６】
津波が襲来している時間は、せいぜい半日から１日程度なので、酸素（酸素ボンベ５）、飲料水、食糧などは、その間に必要な分を備えていればよい。シェルタＡ１は、地面に固定されているので、水に流されて何日も漂流するおそれがない。したがって、水が引くまでの期間をしのげる量があればよい。なお、電気や水道などが停止した状態をしのぐための飲料水および食糧をさらに備えていてもよい。また、シェルタＡ１を、災害時のための備蓄倉庫としてもよい。すなわち、災害時用の装備をシェルタＡ１に備えておけば、例えば地震によって倒壊した家に入って装備を取り出す必要がない。
【００２７】
蓄電池７１は、通信装置７２などの電気機器に電力を供給するものであり、例えば、リチウムイオン電池である。なお、鉛蓄電池などの他の蓄電池であってもよい。また、小型の発電機であってもよい。通信装置７２は、外部と通信を行うためのものである。通信装置７２には、蓄電池７１から電力が供給される。フロート式アンテナ７３は、浮きにアンテナを取り付けたものである。本体１が水没した場合には、フロート式アンテナ７３が水上に浮上して（図４参照）、電波の送受信を行う。これにより、通信装置７２は、本体１が水没した場合でも、通信を行うことができる。また、フロート式アンテナ７３によって、携帯電話の電波の送受信や、ラジオの電波の受信を行うようにしてもよい。
【００２８】
本体１の居住スペースの一角には、トイレ１３が設けられている。トイレ１３には、便器８１が設置されている。トイレ８１の排水管には加圧タンク８２と図示しない逆流防止弁が設けられており、本体１が水没した場合でも、外部の水が逆流して入ってこないように排水できるようになっている。なお、排水設備を設けずに、汚水タンクに蓄積しておくようにしてもよい。また、本体１の居住スペースに、シンクとコンロを設けて、簡単な調理ができるようにしてもよい。この場合、シンクの排水管にも加圧タンクと逆流防止弁を設けて外部に排水するようにしてもよいし、汚水タンクに蓄積しておくようにしてもよい。
【００２９】
次に、シェルタＡ１の設置方法の一例について、図３を参照して説明する。図３は、シェルタＡ１の設置方法の一例を説明するための図である。
【００３０】
まず、シェルタＡ１の設置場所まで、トラックＢでシェルタＡ１を運送する（図３（ａ）参照）。同図（ａ）では、シェルタＡ１を上下逆にして（底面を上にして）、トラックＢの荷台に積載している。すなわち、タンクローリーのような状態で、タンクに対応するシェルタＡ１を設置場所まで運送する。なお、固定部材２の柱部２１を取り外した状態で運送して、設置場所で取り付けるようにしてもよい。また、シェルタＡ１を底面を下にして運送してもよい。設定場所には、固定部材２の埋設部２２を形成するための穴Ｃが設けられている。固定部材２の数に合わせて４つの穴Ｃが設けられているが、図３では真横から見た状態を示しているので、図では２つの穴Ｃのみが表示されている。
【００３１】
次に、シェルタＡ１をトラックＢの荷台から降ろして、４つの柱部２１をそれぞれ穴Ｃに挿入するようにして、シェルタＡ１を配置する（図３（ｂ）参照）。そして、穴Ｃにコンクリートを流し入れて固めることで、埋設部２２を形成する（図３（ｃ）参照）。その後、出入口１１から居住スペースに、酸素ボンベ５などの備品を積み込み、はしご４およびフロート式アンテナ７３を取り付ける。
【００３２】
図４は、シェルタＡ１の使用状態を説明するための図である。
【００３３】
同図では、シェルタＡ１が、津波によって完全に水没している状態を示している。出入口１１は本体１の底面に設けられている。また、本体１の出入口１１以外は水密状の密閉構造になっており、酸素ボンベ５から供給される空気が居住スペース内の気圧を外部の水圧に釣り合わせるように高めている。したがって、水没時に扉３を開けたとしても、出入口１１から水が浸入してこない。居住スペース内の気圧が外部の水圧より低く、出入口１１で水位が上がったとしても、張出部１２によって水の侵入を抑止することができる。
【００３４】
本実施形態では、本体１が水没状態であっても、出入口１１から水が浸入してこない。したがって、遅れて避難してきた人を、扉３を開けて居住スペース内に収容することができる。また、トラックＢに積載して、設置場所まで容易に運送することができ、容易に設置することができる。
【００３５】
なお、上記第１実施形態においては、扉３を内開きに開けて、はしご４で居住スペースに出入りする場合について説明したが、これに限られない。扉３の開閉方法は限定されないし、居住スペースに出入りする方法も限定されない。
【００３６】
図５（ａ）は、第２実施形態に係るシェルタＡ２の断面図であり、図２に対応する図である。同図において、第１実施形態に係るシェルタＡ１(図２参照）と同一または類似の要素には、同一の符号を付している。シェルタＡ２は、内開きの扉３に代えて、スライド式の扉３’を設けた点と、はしご４に代えて階段４’を設けた点とで、第１実施形態に係るシェルタＡ１と異なる。
【００３７】
第２実施形態においても、第１実施形態と同様の効果を奏することができる。また、扉３（３’）に代えて外開きの扉を設けてもよいし、はしご４（階段４’）に代えてスロープを設けるようにしてもよい。また、図５（ｂ）に示すシェルタＡ３のように、昇降装置（エレベータ）４”を設けるようにしてもよい。この場合、車いすＤに乗ったままでも非難することができる。また、昇降装置４”に代えて、より簡易なパワーゲート（テールゲート昇降装置）のような構造としてもよい。
【００３８】
上記第１および第２実施形態においては、固定部材２が本体１の側面に固定されている場合について説明したが、これに限られない。図６に示すシェルタＡ４のように、固定部材２’の柱部２１’をＵ字形状とし、本体１に被せるようにして固定してもよい。この場合、水没時にかかる浮力によって本体１が浮き上がってしまうことを、より強く防止することができる。
【００３９】
上記第１および第２実施形態においては、本体１が略円柱形状である場合について説明したが、これに限られない。本体１は、水圧への耐性と居住性とを考慮して、略円柱形状としている。居住性をより考慮して、直方体形状としてもよい。図７（ａ）は、直方体形状の本体１’を備えたシェルタＡ５を示している。この場合、本体１’の内部に、椅子や備品を効率よく配置することができる。しかし、水圧に耐えられるように、本体１’の外壁を厚くしたり、強度の高い素材にする必要があるので、重量が大きくなったり、製造コストが高くなるなどのデメリットがある。一方、水圧への耐性をより高くするために、本体１を、略球形状としてもよい。図７（ｂ）は、略球形状の本体１”を備えたシェルタＡ６を示している。この場合、水圧への耐性が高くなるが、居住性が悪く、運送しにくくなるというデメリットがある。
【００４０】
なお、上記では、シェルタＡ１〜Ａ６が家の外に設置される場合について説明したが、これに限られず、家の中に設置するようにしてもよい。押し入れに設置する場合を第３実施形態として、以下に説明する。
【００４１】
図８は、第３実施形態に係るシェルタＡ７を説明するための図である。同図（ａ）および（ｂ）は、シェルタＡ７が押し入れに設置されている状態を示しており、同図（ａ）は襖９１，９２が閉じられた状態を示し、同図（ｂ）は襖９１を襖９２側にスライドさせた状態を示している。なお、実際には見えない部分は破線で示している。また、同図（ｃ）は、シェルタＡ７の断面図であり、図２に対応する図である。同図（ｄ）は、同図（ｃ）のＶＩＩＩ−ＶＩＩＩ線視断面図である。これらの図において、第１実施形態に係るシェルタＡ１(図２参照）と同一または類似の要素には、同一の符号を付している。なお、図８（ｃ）および（ｄ）においては、シェルタＡ７の内部に配置されるものの記載を省略している。
【００４２】
シェルタＡ７は、直方体形状の本体１’（図７（ａ）参照）を備えている点と、張出部１２’の形状が異なる点とで、第１実施形態に係るシェルタＡ１と異なる。また、シェルタＡ７は、押し入れ内部に設置するために、シェルタＡ１と比べて小さいものになっている。
【００４３】
張出部１２’は、本体１’の外面側の張出部分が下方に延び、途中で押し入れのふすま９１側に曲がった形状になっている（図８（ａ），（ｄ）参照）。これにより、避難者が張出部１２’を這って、本体１’内部に入ることができる。
【００４４】
シェルタＡ７は、普段は襖９１，９２が閉じられることで外部から見えないようになっている（図８（ａ）参照）。また、シェルタＡ７は、備蓄倉庫としての機能も果たす。シェルタＡ７は、家の中にあるので、直射日光にさらされて本体１’内部の温度が上がり食糧が早く傷んでしまうことを抑制することができる。また、家の外に設置する場合より防犯上のメリットがあり、貴重品を置いておくこともできる。津波などの災害時に避難する場合は、襖９１を襖９２側にスライドさせて（図８（ｂ）参照）、張出部１２’を這って本体１’内部に入る。
【００４５】
第３実施形態においても、本体１’が水没状態になっても、出入口１１から水が浸入してこないので、第１実施形態と同様の効果を奏することができる。なお、本実施形態では、シェルタＡ７を固定部材２で地面に固定している場合について説明したが、これに限られない。例えば、押し入れの内枠を地面または建物の基礎部分に固定して、当該内枠に本体１’を固定すれば、当該内枠が固定部材の機能を果たすので、固定部材２は必要ない。
【００４６】
本発明に係るシェルタは、上述した実施形態に限定されるものではない。本発明に係るシェルタの各部の具体的な構成は、種々に設計変更自在である。
【符号の説明】
【００４７】
Ａ１〜Ａ７  シェルタ
１，１’,１”  本体
１１  出入口
１２，１２’  張出部
１３  トイレ
２，２’  固定部材
３，３’  扉
４  はしご
４’  階段
４”  昇降装置
５  酸素ボンベ
６１  椅子
６２  テーブル
７１  蓄電池
７２  通信装置
７３  フロート式アンテナ
８１  便器
８２  加圧タンク
９１，９２  襖
Ｂ  トラック
Ｃ  穴
Ｄ  車いす
【図１】
2014214569.tif 000003
【図２】
2014214569.tif 000004
【図３】
2014214569.tif 000005
【図４】
2014214569.tif 000006
【図５】
2014214569.tif 000007
【図６】
2014214569.tif 000008
【図７】
2014214569.tif 000009
【図８】
2014214569.tif 000010